【事件の表示】
　平成　７年特許願第　３５８７７号「再生／記録ユニツトのための制御装置」拒絶査定不服審判事件〔平成　７年　９月１２日出願公開、特開平　７−２４００５１〕について、次のとおり審決する。
【結　論】
　本件審判の請求は、成り立たない。
【理　由】
１．手続きの経緯・本願発明
　本願は、平成７年２月２日（パリ条約による優先権主張　１９９４年２月９日　ベルギー）の出願であって、その請求項１に係る発明（以下、「本願発明」という。）は、平成１６年３月２日付けの手続補正書によって補正された特許請求の範囲の請求項１に記載された次のとおりである。
　
「作動位置及び不作動位置において、情報支持体をセットするための装填装置（２２）、
　作動位置において、可動フレーム（１１０）及び固定フレーム（１０）に設置された要素（１１５，１１８，１１９；１２０，１２１）を介して支持体の駆動及びその表面の情報の再生／記録をする駆動装置（４０）、
　支持体の搬送方向を逆転する逆転装置（７０）、
　動力手段（１１）、及び
　装填装置（２２）に作用する、動力源（１１）及び軸受け手段（１００）と協働する逆転制御要素（９６）を具備する情報支持体の情報を記録及び／又は再生する装置において、
　該逆転制御要素（９６）が、該動力手段によって前進及び戻りのストロークに沿って移動せしめられて、連続的に且つ選択的に、該装填装置（２２）、該駆動装置（４０）及び該逆転装置（７０）に機械的に作用して、その動きのみによって、その全ての作動モードにわたって装置のシフトをすることを特徴とする装置。」
　
２　引用例
（１）これに対して、原査定の拒絶の理由に引用された特開平５−１８２３００号公報（以下、「引用例１」という。）には、ピンチローラ圧着切換機構について、次の記載がある（下線は、当審で付した。）。
　
ア．「【特許請求の範囲】
【請求項１】
正逆２方向に磁気テープを走行させるために磁気記録再生装置に設けられた一対のピンチローラと、このピンチローラが圧着される一対のキャプスタン軸とを備え、テープに走行方向に応じて正逆いずれかのピンチローラを対応するキャプスタン軸に対して圧着させるためのピンチローラ圧着切換機構において、磁気記録再生装置に設けられた固定部材と、
固定部材に移動可能に支持され、磁気記録再生用のヘッドが設けられたヘッドプレートと
固定部材にヘッドプレートと共に移動可能に支持され、かつヘッドプレートに対しても移動可能に支持され、ヘッドプレートに対するその移動位置に応じて正逆いずれかのピンチローラを対応するキャプスタン軸に圧着させるピンチローラの切換部材と
ヘッドプレートをそのヘッドがテープに圧着する前進位置とヘッドとテープの圧着を解除する後退位置とに移動させるヘッドプレート位置決め手段と、
固定部材に移動可能に支持されたモードプレートと
モードプレートに設けられ、ヘッドプレートの前進位置においてピンチローラ切換部材と係合するピンチローラ切換部材の位置決め手段と、
モードプレートの移動用モータと、
を備えていることを特徴とするピンチローラ圧着切換機構
　
イ．「【０００１】
【産業上の利用分野】本発明は、テーププレーヤ等の磁気テープを磁気記録媒体とする磁気記録再生装置に係り、特に、テープ走行方向の切換えに連動して、キャプスタンに圧着されるピンチローラを切換えるためのピンチローラ圧着切換機構に関する。」
　
ウ．「【０００６】本発明は、以上のような従来技術の課題を解決するために提案されたものであり、その目的は、ヘッドの位置決めとピンチローラの圧着切換え部材の位置決めの両方を、それぞれ干渉することなく制御することのできる一枚のモードプレートを設けることにより、部材点数が削減され、組立が容易で、且つ優れたピンチローラ圧着切換機構を提供することができる。
【０００７】
【課題を解決するための手段】上記の目的を達成するために、本発明は、正逆２方向に磁気テープを走行させるために磁気記録再生装置に設けられた一対のピンチローラと、このピンチローラが圧着される一対のキャプスタン軸とを備え、テープに走行方向に応じて正逆いずれかのピンチローラを対応するキャプスタン軸に対して圧着させるためのピンチローラ圧着切換機構において、磁気記録再生装置に設けられた固定部材と、固定部材に移動可能に支持され、磁気記録再生用のヘッドが設けられたヘッドプレートと、固定部材にヘッドプレートと共に移動可能に支持され、かつヘッドプレートに対しても移動可能に支持され、ヘッドプレートに対するその移動位置に応じて正逆いずれかのピンチローラを対応するキャプスタン軸に圧着させるピンチローラの切換部材と、ヘッドプレートをそのヘッドがテープに圧着する前進位置とヘッドとテープの圧着を解除する後退位置とに移動させるヘッドプレート位置決め手段と、固定部材に移動可能に支持されたモードプレートと、モードプレートに設けられ、ヘッドプレートの前進位置においてピンチローラ切換部材と係合するピンチローラ切換部材の位置決め手段と、モードプレートの移動用モータと、を備えていることを特徴とする。
【０００８】
【作用】このような構成を有する本発明においては、
１枚のモードプレートによって、ヘッドプレートとピンチローラ切換部材との位置決めを行うことができ、モードプレートやその駆動用モータが削減できる
【０００９】しかも、
ヘッドプレートが前進位置にあるときにのみモードプレートの位置決め手段とピンチローラ切換部材とが係合する
　
エ．「【００１３】図１において、
固定部材であるデッキプレート１の表面上には、ヘッド３の搭載された概略Ｌ字状のヘッドプレート２が配設されており、前後方向（Ｘ１，Ｘ２方向）に移動可能に取り付けられている。このヘッドプレート２には、ヘッド３の両側にそれぞれカム孔２ａが設けられ
【００１４】また、ヘッドプレート２には、前後に伸びる一対のガイド溝２ｂが設けられ、このガイド溝２ｂには、デッキプレート１に設けられた一対の支軸１ａが、ガイドピンとして挿入されている。さらに、ヘッドプレート２には、ガイドピン２ｃ及びこれと同軸のカムフォロワ２ｄが設けられている。ガイドピン２ｃは、デッキプレート１に設けられた前後に伸びるガイド溝１ｂに挿入されている。ヘッドプレート２は、これら３組のガイドピン及びガイド溝により、前後方向（Ｘ１，Ｘ２方向）にガイドされている。
【００１５】デッキプレート１とヘッドプレート２の間には、ヘッドプレート２の位置決め手段として、３方にアームを有するチェンジリンク４が配設され、ヘッドプレート２に設けられた支軸２ｅによって、ヘッドプレート２に対して回動可能に取り付けられている。チェンジリンク４の前方のアームの先端には、係合用凹部４ａが設けられており、また、左右のアームの先端部後方には、係合部４ｂがそれぞれ設けられている。このチェンジリンク４は、図３に示すような中立位置から、図１に示すようなフォワードプレイ位置（反時計方向側の位置）及び図２に示すようなリバースプレイ位置（時計方向側の位置）との間を回動するように設けられている。さらに、ヘッドプレート２の前後動に伴い、図１乃至図３に示すような前方位置と図４に示すような後方位置との間を移動するようになっている。
【００１６】デッキプレート１の前方（Ｘ１方向）の背面側には、
左右方向（Ｙ１，Ｙ２方向）に長尺なモードプレート５
このモードプレート５は、その前端部に長尺なラック５ａを有しており、駆動部に連結されている。この駆動部としては、デッキプレート表面上に図示しない移動用モータが設けられ、この駆動力がデッキプレート背面側に配設されたパワーギア２０に伝えられる
モードプレート５の左右両端部には、ガイドピン５ｂが設けられており、これらのガイドピン５ｂは、デッキプレート１の２箇所に設けられた左右に伸びるガイド溝１ｃに挿入されている。
マイクロコンピュータ等の操作手段により移動用モータや他の駆動機構の駆動及び停止を行い、モードプレート５が適応する位置に移動される
【００１７】すなわち、モードの切換えがセンサー（図示しない）により検知されると、
モードプレート５は、移動用モータの設けられた駆動部からラック５ａを介して駆動力を与えられることにより、左右方向（Ｙ１，Ｙ２方向）にガイドされ、図１に示すフォワードプレイ位置、図３に示す中立位置、図２に示す最も左側のリバースプレイ位置、及び、図４に示す最も右側のストップ位置の間を適宜移動する
モードスイッチによりモードプレート５の対応位置への移動が検出されると、移動用モータが停止される
【００１８】
モードプレート５には、図８に示すように、その後端部にヘッドプレート２の動作制御を行うカム６を有しており、このカム６は前述したヘッドプレート２のカムフォロワ２ｄに係合して、ヘッドプレート２の動作を制御するようになっている。すなわち、図１乃至図３に示すように、モードプレート５が左方向に移動している場合には、ヘッドプレート２を前方のプレイ位置に制御する。
モードプレート５は、その中央部に、複数の部材のモード切換を行うメインカム７を有している。
右部分に形成された略Ｗ型部分により、ピンチローラ切換え部材の位置決め手段が制御される。
　
オ．【００２０】この場合、プレイリンク８のカムフォロワ８ａは、モードプレート５のメインカム７内に挿入されている。すなわち、図１に示すように、モードプレート５がフォワードプレイ位置にある場合には、時計方向側に、また、図２に示すように、モードプレート５がリバースプレイ位置にある場合には、反時計方向側に位置する。さらに、図３及び図４に示すように、モードプレート５がストップ位置及び中立位置にある場合には、同様に中立位置になっている。一方、プレイリンク８は、第１の係合部８ｂによって、前方位置にあるチェンジリンク４の係合用凹部４ａに係合するようになっており、その回動方向に応じて、この係合用凹部４ａを介し、チェンジリンク４を反対方向に回動させるようになっている。さらに、プレイリンク８は、後述するように、第２の係合部８ｃによって、ディテクトリンク９を制御するようになっている。
　
カ．【００２６】すなわち、フォワードプレイ時またはリバースプレイ時には、図１及び図２に示すように、チェンジリンク４の回動方向に応じて、そのいずれか一方の係合部４ｂにより、対応する側のピンチローラ１３Ｆ，１３Ｒが後方の解除側に制御され、反対側のピンチローラが対応するキャプスタン１５Ｆ，１５Ｒに圧着する。例えば、図１においては、チェンジリンク４がフォワードプレイ位置（反時計方向側の位置）にあり、その左側の係合部４ｂにより、リバース側のピンチローラケース１２Ｒが、圧着用スプリング１４の付勢力に逆らって、後方の解除位置に制御され、フォワード側のピンチローラ１３Ｆが、圧着用スプリング１４の付勢力により、キャプスタン１５Ｆに圧着する。そして、このような状態でテープをプレイ走行する際には、圧着用スプリング１４の付勢力は、解除側のピンチローラケースの係合用突起１２ｂとチェンジリンク４の対応するアームの係合部４ｂとの係合、及び支軸２ｅを介して、ヘッドプレート２の前方位置への圧着力としてヘッドプレート２に伝達されるようになっている。
　
キ．【００３１】まず、図２に示すリバースプレイ走行状態でテープエンドとなると、オートリバース機構によりフォワードプレイ走行に切換えられる。この時、リールベース１１Ｆ，１１Ｒの停止によりディテクトギア１０が停止される。これがセンサーにより検出されると、移動用モータが駆動され、ウォームギア等を介してモードプレート５に駆動力が伝達される。これにより、モードプレート５が右側に移動され、図３に示す中立位置を通過の後、図１に示すフォワードプレイ位置に移動される。モードスイッチにより、フォワードプレイ位置に移動されたことが検出されると、移動用モータが停止され、モードプレート５がその位置に保持される。この動作に伴い、プレイリンク８のカムフォロワ８ａがモードプレート５のメインカム７の略Ｗ型部分を左方向に摺動する。これにより、プレイリンク８が時計方向側に回動される。この時、プレイリンクの第１の係合部８ｂによって、チェンジリンク４の係合用凹部４ａを介し、チェンジリンク４が反時計方向側のフォワードプレイ位置に回動される。この結果、チェンジリンク４の左側の係合部４ｂにより、リバース側のピンチローラケース１２Ｒが圧着用スプリング１４の付勢力に逆らって、後方の解除位置に制御される。一方、フォワード側のピンチローラケース１２Ｆについては、圧着用スプリング１４の付勢力によって前方に付勢され、ピンチローラ１３Ｆは、図２の解除状態から移動して、キャプスタン１５Ｆに圧着保持される。
　
ク．【００３４】一方、図１に示すフォワードプレイ走行状態から、リバースプレイ走行に切換えを行う場合には、センサーによりモードの切換信号が検出されて移動用モータが駆動され、ウォームギア等を介してモードプレートに駆動力が伝達される。これにより、図２に示すように、モードプレート５が左側のリバースプレイ位置に移動される。この動作に伴い、モードプレート５のメインカム７の作用により、プレイリンク８が反時計方向側に回動し、チェンジリンク４を時計方向側のリバースプレイ位置に回動させる。この結果、チェンジリンク４の右側の係合部４ｂにより、フォワード側のピンチローラケース１２Ｆが圧着用スプリング１４の付勢力に逆らって、後方の解除位置に制御される。一方、リバース側のピンチローラケース１２Ｒについては、圧着用スプリング１４の付勢力によって、前方に付勢され、ピンチローラ１３Ｒは図１の解除状態から移動して、キャプスタン１５Ｒに圧着保持される。
　
ケ．【００３８】さらに、図１乃至図３に示すプレイ状態及び中立状態（ヘッドプレート前進状態）から、図４に示すようなストップ状態に復帰する場合には、モードプレート５を右側に移動させ、カム６の作用により、圧着用スプリング１４の付勢力に逆らって、ヘッドプレート２を強制的に後退させる。このようなヘッドプレート２の動作に伴い、カム孔２ａにより両側のピンチローラケース１２Ｆ，１２Ｒも強制的に後退させられる。この結果、両側のピンチローラ１３Ｆ，１３Ｒは、共にキャプスタン１５Ｆ，１５Ｒから離れた位置に保持される。また、プレイリンク８のカムフォロワ８ａが、モードプレート５のメインカム７の左部分の左右方向に伸びるカム部に移動される。この結果、プレイリンク８及びディテクトリンク９が固定され、ピンチローラ切換え部材が制御される。この状態において、圧着用スプリング１４の付勢力は、ピンチローラケースの係合用突起１２ｂとヘッドプレート２のカム孔２ａとの係合を介し、ヘッドプレート２を前方に押圧する力となって作用している。
　
　上記摘記事項及び図面を総合勘案すると、引用例１には、１枚のモードプレートによって制御されるピンチローラ圧着切換機構について、次の発明（以下、「引用例１発明」という。）が記載されていると認められる。
「テーププレーヤ等磁気テープを磁気記録媒体とする磁気記録再生装置の、テープ走行方向の切換えに連動して、キャプスタンに圧着されるピンチローラを切換えるためのピンチローラ圧着切換機構であって、
　正逆２方向に磁気テープを走行させるため一対のピンチローラと、圧着用スプリングと、このピンチローラが圧着される一対のキャプスタン軸とを備えた固定部材であるデッキプレートと、
　デッキプレートに移動可能に支持され、磁気記録再生用のヘッドが設けられたヘッドプレートと、
　デッキプレートにヘッドプレートと共に移動可能に支持され、かつヘッドプレートに対しても移動可能に支持され、ヘッドプレートに対するその移動位置に応じて正逆いずれかのピンチローラを対応するキャプスタン軸に圧着させるピンチローラ切換部材と、
　ヘッドが磁気テープに圧着する前進位置とヘッドと磁気テープの圧着を解除する後退位置とにヘッドプレートを位置決めするカム、及びヘッドプレートの前進位置においてピンチローラ切換部材と係合するピンチローラ切換部材の位置決め行うメインカムとを有し、ガイドピンがデッキプレートのガイド溝に挿入されて移動可能に支持されたモードプレートと、
　モードプレートの移動用モータと、を備え、
　モードプレートが、移動用モータによってデッキプレートのガイド溝に沿って、フォワードプレイ位置、中立位置、リバースプレイ位置、及び、ストップ位置へ適宜移動せしめられて、カムに係合するヘッドプレートをプレイ位置とストップ位置に制御し、メインカムに係合するピンチローラ切換部材の位置決め制御を行なうピンチローラ圧着切換機構。」
　
（２）同じく、原査定の拒絶の理由に引用された特開平１−３０７９４７号公報（以下、「引用例２」という。）のテーププレーヤの動作位置検出装置には、次の記載がある（下線は、当審で付した。）。
コ．「シャーシ１の裏側には、前記ヘッドプレート２を移動させるための例えば
正逆転可能なモータＭにより、板状のモードプレート７が、ヘッドプレート２の移動方向Ｐ←→Ｑと垂直な方向Ａ←→Ｂに移動自在に設けられている。２ｄ、２ａはモードプレートの移動を案内するためにシャーシ１に設けた案内孔、７ａ、７ｂはそれに挿入されたモードプレート側のピン
　
サ．「
第３Ａ図は、パワーギヤ１０により、モードプレート７が矢印Ｂの方向に移動し、ヘッドプレート２のローラ５がストップ用カム部ＳＴに係合し、それによりヘッドプレート２が矢印Ｑの方向に移動された状態、即ちストップモード位置を示したもの
　このストップモード位置では、前記リンク部材９の係合部９ｂはモードプレート７のストップ位置検出用カム部ＳＴ’に係合しており、ストップ位置検出スイッチＳＷｆはオン、早送り位置検出スイッチＳＷｅはオフ状態となっている。
　第３Ｂ図は、パワーギヤ１０により、モードプレート７が第３Ａ図の位置がら矢印Ａの方向に移動し、ヘッドプレート２のローラ５が早送り用カム部ＦＦに係合し、それよりヘッドプレート２が矢印Ｐの方向に移動された状態、即ち早送りモード位置を示したものである。この早送りモード位置では、ストップ検出スイッチＳＷｆはオフ、早送り位置検出スイッチＳＷｅはオンとなっている。
　第３Ｃ図はパワーギヤ１０により、
モードプレート７が第３Ａ図の位置より矢印Ａの方向に移動し、ヘッドプレート２のローラ５がモードプレート７との係合が外れ、ヘッドプレートが矢印Ｐの方向に移動され、それにより軸６が案内孔１ｂの端部に当接した状態、即ちプレイモード位置
　
シ．「
カセットのローディング・イジェクト機構
１１はシャーシ１上に設けられたフレームであり、フレームを形成している立上り板１１ａに、シャーシの裏側のモードプレート７と同方向に移動可能なローディング・イジェクトプレート１２が平行に配置されている。
モードプレート７側のピン７ｂと、前記プレート１２の下辺突片１２ａとのあいだに掛けたスプリング１３の付勢力で、プレート１２側の下辺ストッパー片１２ｂをピン７ｂに圧着保持することにより、プレート１２がモードプレート７と一体化されている。
　一方、フレーム１１の立上り板１１ａとプレート１２とのあいだには、
立上り板１１ａに支軸１４ｄで揺動自在に枢支させたリンク部材１４が配設されている。このリンク部材１４には、二叉部１４ａと突軸部１４ｂと突片部１４ｃがあり、突軸部１４ｂが前記プレート１２の切溝状カム部１２ｅと係合し、そのカム作用によって、リンク部材１４が揺動される
　
ス．「ローディング・イジェクト機構の操作と作動について説明する。
（１）第１１Ａ図および第１１Ｂ図に示すように、
パックガイド１８にカセット２４を、その先端がバックストッパー２１のストッパ板２１ｂに当るところまで挿入する
（２）上記挿入位置から
カセットを僅かに押し込むと
（３）操作板１５の移動で、その突片１５ｃに連係している
リンク部材１４は、第２図において、支軸１４ｄを支点として時計方向に回動し、突片部１４ｃが移動するので、リンク部材１４は時計方向に回動し、スイッチＳＷｅのレバーが、一番押された状態から中間位置に移動し、その移動により、モータＭが起動し、ローディング開始
　なお、操作板１５の移動には、その突片１５ｅがローディング・イジェクトプレート１２の段部１２ｇに係合することで制止されるが、モータＭの起動でプレート１２が矢印Ｆの方向に移動するので、前記制止作用は解除される。
（４）即ち、モータＭが起動すると、第１図および第３Ａ図について説明したように、
パワーギヤ１０でモードプレート７が矢印Ａの方向に移動されるが、前記ローディング・イジェクトプレート１２は前記モードプレート７と一体に連結されているので、プレート１２は矢印Ｆの方向に移動する
（５）
前記プレート１２が矢印Ｆの方向に移動すると、その切溝状カム部１２ｅの谷部に係合してい
リンク部材１４も引続き時計方向（第２図参照）に回動し、それに連係している前記操作板１５はさらに矢印Ｅの方向に移動し、同時にレバー２２も矢印りの方向に回動し、バックストッパー２１により、カセット２４の水平引き込みが行われる
（６）第１２Ａ図および第１２Ｂ図は、カセット２４の引き込みが完了した状態を示すものである。
　
カセット引き込み完了時点では、リンク部材１４の突軸部１４ｂはプレート１２におけるカム部１２ｅの山部に乗り上げ、リンク部材１４の回動は止まる
　また、カセット引き込み完了時点では、ガイドアーム１９の袖板１９ａの突軸１９ｅは、前記プレート１２の外側縁辺のカム部１２ｆの水平山部の先端（第１２Ｂ図参照）にある。
（７）第１３Ａ図および第１３Ｂ図は、
カセット２４の引き込み後、カセットを下降させた状態
　前記操作板１５の移動が停止しても、モータＭの駆動により、ローディング・イジェクトプレート１２は引き続き矢印Ｆの方向に移動するので、プレート１２にカム部１２ｆの水平山部で支持されていたガイドアーム１９の袖板１９ａ側の突軸１９ｅは水平山部から外され、スプリング２０（第１図参照）の付勢力により、カム部１２ｆの下り斜面に沿って案内される間、ガイドアーム１９は支軸１９ｃを支点として時計方向（第１３Ｂ図）に回動するので、それに支持されているバックガイド１８は、第１３Ｂ図に示すように、カセット２４を支持した状態で下降する。
　なお、プレート１２のカム部１２ｆの下り斜面から外された前記袖板１９ａの突軸１９ｅは、そのままフレーム立上り板１１ａの切欠部１１ｈで受は止められる。
（８）前記
バックガイド１８によってカセット２４が下降された時点では、前述したモードプレート７は、第３Ａ図に示すストップモード位置にあり、
　なお、カセットの下降後におけるモードプレート７の移動中、前記ローディング・イジェクトプレート１２はモードプレート７と共に矢印Ｆの方向に移動するだけで、他の部材への影響はない。
（９）次に、カセットのイジェクトを行う場合には、イジェクト用スイッチ（図示してない）をオンに入れ、モータＭを逆転駆動する。
　モータを逆転駆動すれば、前述したローディング時と逆の動作が行われ、各部材は第１３Ａ図および第１３Ｂ図の状態から第１１Ａ図および第１１Ｂ図の状態に戻される。
　この時、モードプレート７は移動完了位置（第３Ａ図）に至り、リンク部材９はその係合部９ｂの
イジェクト完了位置
スイッチＳＷｆのレバーが中間位置から最外側に移動することにより、モータＭは停止し、イジェクト終了となる。
　なお、上記実施例では、
別個に作ったモードプレートとローディング・イジェクトプレートが一体に結合されているが、両者は１つのシフト部材として構成することができる
　
３　対比
　次に、本願発明と引用例１発明とを対比する。
　
（１）引用例１発明の「磁気テープ」は、本願発明の「情報支持体」に相当し、したがって、引用例１発明の「テーププレーヤ等磁気テープを磁気記録媒体とする磁気記録再生装置」は、本願発明の「情報支持体の情報を記録及び／又は再生する装置」に相当する。
　
（２）引用例１発明の「固定部材であるデッキプレート」は本願発明の「固定フレーム」に相当し、引用例１発明の「ヘッドプレート」は、デッキプレートに移動可能に支持されているから、本願発明の「可動フレーム」に相当する。
　引用例１発明の「磁気記録再生用のヘッド」は、ヘッドプレートに設けられて、磁気テープすなわち情報支持体の「表面の情報を再生／記録」するものであるから本願発明の「可動フレームに」「設置された要素」に相当し、「正逆２方向に磁気テープを走行させるためにに設けられた一対のピンチローラ」、「圧着用スプリング」、及び「ピンチローラが圧着される一対のキャプスタン軸」は、「デッキプレートにヘッドプレートと共に移動可能に支持され、かつヘッドプレートに対しても移動可能に支持され、」磁気テープすなわち「支持体の駆動」をするものであるから本願発明の「固定フレームに設置された要素」に相当する。
　そして、前記「表面の情報を再生／記録」及び「支持体の駆動」は、情報支持体の「作動位置」において行われることは自明であるから、引用例１発明の磁気記録再生装置は、本願発明の「作動位置において、可動フレーム及び固定フレームに設置された要素を介して支持体の駆動及びその表面の情報の再生／記録をする駆動装置」に相当する構成を備えている。
　
（３）引用例１発明の「正逆いずれかのピンチローラを対応するキャプスタン軸に圧着させる」ことは、磁気テープ走行を、正方向又は逆方向のいずれかにすることであるから、引用例１発明の「デッキプレートにヘッドプレートと共に移動可能に支持され、かつヘッドプレートに対しても移動可能に支持され、ヘッドプレートに対するその移動位置に応じて正逆いずれかのピンチローラを対応するキャプスタン軸に圧着させるピンチローラ切換え部材」は、本願発明の「支持体の搬送方向を逆転する逆転装置」に相当する。
　
（４）引用例１発明の「移動用モータ」は、動力源を提供する点で、本願発明の「動力手段」及び「動力源」に相当する。なお、ここで、本願発明において、「動力手段」及び「動力源」には、いずれも図面に使用した記号「（１１）」が付されており、また、異なる２種類の「動力手段」または「動力源」が本願発明の装置に含まれると認められないので、前記「動力手段」及び「動力源」は、単に表記の不統一であって、同一のものを指すと解するのが妥当であるから、以下の検討においては、請求項記載の文言を直接引用する場合を除き、「動力手段」の語を用いることにする。
　
（５）引用例１発明の「モードプレート」と、本願発明の「逆転制御要素」とを比較すると、「モードプレート」が「移動用モータによって」「移動せしめられ」ることは、「逆転制御要素」が、「動力源」「と協働する」ことに相当する。
　また、「モードプレート」が「ヘッドが磁気テープに圧着する前進位置とヘッドと磁気テープの圧着を解除する後退位置とにヘッドプレートを位置決めするカム、及びヘッドプレートの前進位置においてピンチローラ切換部材と係合するピンチローラ切換部材の位置決め行うメインカムとを有し、ガイドピンがデッキプレートのガイド溝に挿入されて移動可能に支持され」たものであって、「移動用モータによってデッキプレートのガイド溝に沿って、フォワードプレイ位置、中立位置、リバースプレイ位置、及び、ストップ位置へ適宜移動せしめられて、カムに係合するヘッドプレートをプレイ位置とストップ位置に制御し、メインカムに係合するピンチローラ切換部材の位置決め制御を行なう」ことは、本願発明の「逆転制御要素」が、「動力手段によって前進及び戻りのストロークに沿って移動せしめられて、連続的に且つ選択的に」、「駆動装置及び逆転装置に機械的に作用して、その動きのみによって、その」「作動モードにわたって装置のシフトをする」ことに相当する。
　
　以上のことからすると、両者の一致点及び相違点は、次のとおりである。
＜一致点＞
「　作動位置において、可動フレーム及び固定フレームに設置された要素を介して支持体の駆動及びその表面の情報の再生／記録をする駆動装置、
　支持体の搬送方向を逆転する逆転装置、　
　動力手段、及び
　動力源と協働する逆転制御要素を具備する情報支持体の情報を記録及び／又は再生する装置において、
　該逆転制御要素が、該動力手段によって前進及び戻りのストロークに沿って移動せしめられて、連続的に且つ選択的に、該駆動装置及び該逆転装置に機械的に作用して、その動きのみによって、その作動モードにわたって装置のシフトをする装置。」
　
＜相違点＞
（相違点１）本願発明は「作動位置及び不作動位置において、情報支持体をセットするための装填装置」を具備することが特定されているのに対し、引用例１発明には「装填装置」が特定されていない。これにしたがって、逆転制御要素が「装填装置に（機械的に）作用する」ことも特定されていない点。
（相違点２）「逆転制御要素」について、以下の３点。
（１）本願発明では、「逆転制御要素」「装填装置に作用する」、及び「装填装置」「に機械的に作用する」と特定されているのに対し、引用例１発明では、相違点１として指摘したように、装填装置が特定されていないことに応じて、装填装置に（機械的に）作用するものではない点。
（２）本願発明では、「逆転制御要素」が「軸受け手段と協働する」と特定されているのに対し、引用例１発明では逆転制御要素の協働する「軸受け手段」は特定されていない点。
（３）本願発明では、「逆転制御要素」が「全ての」作動モードにわたって装置のシフトをすると限定しているのに対して、引用例１発明ではそうではない点。
　
４　当審の判断
　上記相違点について検討する。
（１）本願発明の「軸受け手段（１００）」に関連して、明細書には次の記載がある。
「【００１６】図１〜図６に示すように、開示されたユニットは
カセットの中に取り囲まれている磁気テープの再生／記録装置
カセットの装填または取り出しを保証する装填機構２２
「【００２０】この
ラチェット１００は軸１０２の回りに回転するように取り付けらており
【００２１】このラチェット１００は、装填機構２２の横方向に動くプレート１３と一体のラグ２４を制御部材９６の動きに連結する。結局、電動機１１が電力を供給されそして図１および図４に示す位置の間で制御部材９６を並進させるとき、それはカセットの装填機構２２を前後に駆動する。
【００２２】この装填機構２２はハウジング２０からなり、前記ハウジングは垂直壁１２、１４の中に形成されたスロット１６と共同しそして、また、垂直壁１２、１４に対して支持する横方向に動くプレート１３、１５の中に形成された傾斜スロット１７と共同する。
【００２３】装填システムについてのそれ以上の記載または説明については、本出願人に係る日本国特許第１，７１４，９３５号を参照することができる。」
　同記載によれば、前記「軸受け手段（１００）」は、実施例においては「ラチェット１００」を指すものと解されるが、本願発明においては、「装填装置（２２）に作用する、動力源（１１）及び軸受け手段（１００）と協働する逆転制御要素（９６）を具備する」との特定から、逆転制御要素と「協働する」ことが特定されているにすぎないから、前記「軸受け手段」は、軸の周りに回転するように取り付けられて、装填装置の部材を逆転制御部材の動きに連結する手段のことであると解するのが妥当である。
　
（２）引用例２にはテープカセットが挿入されるパックガイドを、イジェクト完了位置と、ストップモード位置に移動させるカセットのローディング・イジェクト機構を備えたテーププレーヤが記載されている。
　このローディング・イジェクト機構は、シャーシ上に設けられた立上り板に平行に、シャーシの裏側のモードプレートと同方向に移動可能に配置されたローディング・イジェクトプレートを有し、ローディング・イジェクトプレートがリンク部材を回動させて、パックガイドをイジェクト完了位置とストップモード位置の間を移動するように構成されている。リンク部材は、立上り板の支軸に枢支されて揺動自在に配設されており、ローディング・イジェクトプレートの切溝状カムと係合し、カム作用によって、揺動されるようになっている。
　カセットがローディング・イジェクト機構に押し込まれると、リンク部材が時計方向に回動して、モータ起動し、ローディング開始となる。ローディング・イジェクトプレートは、モードプレートと一体に連結されており、モータが起動してモードプレートが移動すると、イジェクトプレートも同方向に移動する。イジェクトプレートが移動すると、リンク部材も引続き時計方向にに回動し、カセットの水平引き込みが行われる。カセット引き込みの完了時点でリンク部材の回動は止まり、さらにカセットはストップモード位置に下降される。ストップモード位置以後も、移動するモードプレートにより、ヘッドプレートがプレイモード位置に移動されて、テーププレーヤはプレイモードとなる。
　以上のとおりであるから、引用例に記載された「ローディング・イジェクト機構」は、本願発明の「作動位置及び不作動位置において、情報支持体をセットするための装填装置」に相当するものである。
　
（３）また、引用例２には、別個に作ったモードプレートとローディング・イジェクトプレートは一体に結合されているが、また、両者は１つのシフト部材として構成してもよいことが記載されている。
　すると、引用例２において、実質上一体に移動する「モードプレート」及び「ローディング・イジェクトプレート」は、「動力手段によって前進及び戻りのストロークに沿って移動せしめられて、連続的に且つ選択的に、装填装置、駆動装置」「に機械的に作用して、その動きのみによって、その全ての作動モードにわたって装置のシフトをする」点において、引用例１発明の「モードプレート」と共通するものであり、また、リンク部材（１４）は、モードプレート及びローディング・イジェクトプレートと、操作板１５とを「協働させる」もので、それにより「装填装置に作用する」点において、本願発明の「軸受け手段」と一致するものである。
　
（４）以上（１）ないし（３）の検討からすると、引用例１発明におけるピンチローラ圧着切換機構に対し、モードプレートが作用する点で共通する引用例２のカセットのローディング・イジェクト機構を装填装置として採用することにより、「作動位置及び不作動位置において、情報支持体をセットするための装填装置」を具備することとし（相違点１について）、逆転制御要素に相当するモードプレートを、装填装置に相当するローディング・イジェクト機構に「機械的に作用する」ようになし（相違点２の（１））、「軸受け手段」に相当する「リンク部材」が逆転制御要素であるモードプレートと「協働して」装填装置に作用するようになし（相違点２の（２））、及び前記モードプレートが「情報支持体をセットする」ことも含め「全ての」作動モードにわたって装置のシフトする構成となす（相違点２の（３））ことは、当業者が容易に想到しうるものである。
　
（５）結局、前記各相違点は、格別なものではなく、また、前記各相違点を総合しても、本願発明の奏する効果は、当業者が当然に予測できる範囲内のものにすぎない。
　
５　むすび
　以上のとおり、本願発明は、引用例１及び引用例２に記載された発明に基づいて、当業者が容易に発明をすることができたものであるから、特許法第２９条第２項の規定により特許を受けることができないのである。
　したがって、本願は、拒絶すべきものである。
　よって、結論のとおり審決する。